(57)【特許請求の範囲】
【請求項１】
移動しながらデシタル放送を受信し、設定周波数を逐次変更しながらチャンネルサーチを実行するデジタル放送受信装置であって、
アンテナを介して入力される放送波を中間周波数信号に変換するチューナと、
前記中間周波数信号をデジタルデータに変換するアナログ・デジタル変換器と、
前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、
前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、
を備え、
前記制御回路は、
前記直交復調およびＡＦＣ回路に接続され、前記直交信号の有効シンボル期間を高速フーリエ演算により時間軸方向の信号から周波数軸方向の周波数信号に変換するＦＦＴ回路の出力により、前記周波数信号のＴＭＣＣにより所定時間内にフレーム同期を検出できないときに、次のチャンネルサーチを実行することを特徴とするデジタル放送受信装置。
【請求項２】
移動しながらデシタル放送を受信し、設定周波数を逐次変更しながらチャンネルサーチを実行するデジタル放送受信装置であって、
アンテナを介して入力される放送波を中間周波数信号に変換するチューナと、
前記中間周波数信号をデジタルデータに変換するアナログ・デジタル変換器と、
前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、
前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、
を備え、
前記制御回路は、
前記ＦＦＴ回路に接続され、誤り訂正およびＴＳ再生回路により生成されるＭＰＥＧ２−ＴＳ信号から、ＭＰＥＧ２−ＴＳデマルチプレクサによって、多重された映像、音声、サービス情報データに分離される中から、前記サービス情報データを取込み、前記サービス情報データが所定時間内に検出されたときに該チャンネルを記録し、次のチャンネルサーチを実行することを特徴とするデジタル放送受信装置。
【請求項３】
移動しながらデシタル放送を受信し、設定周波数を逐次変更しながらチャンネルサーチを実行するデジタル放送受信装置であって、
アンテナを介して入力される放送波を中間周波数信号に変換するチューナと、
前記中間周波数信号をデジタルデータに変換するアナログ・デジタル変換器と、
前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、
前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、
を備え、
前記制御回路は、
前記直交復調およびＡＦＣ回路によって周波数同調された直交信号から検出され出力される伝送モード検出完了信号、もしくは所定の範囲内に周波数が同調したときに出力される周波数同調完了信号の各々が所定時間内に検出されないときに、次のチャンネルサーチを実行することを特徴とするデジタル放送受信装置。
【請求項４】
移動しながらデシタル放送を受信し、設定周波数を逐次変更しながらチャンネルサーチを実行するデジタル放送受信装置であって、
アンテナを介して入力される放送波を中間周波数信号に変換するチューナと、
前記中間周波数信号をデジタルデータに変換するアナログ・デジタル変換器と、
前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、
前記直交信号の有効シンボル期間を高速フーリエ演算により時間軸方向の信号から周波数軸方向の周波数信号に変換するＦＦＴ回路と、
前記周波数信号からＭＰＥＧ２−ＴＳ信号を生成する誤り訂正およびＴＳ再生回路と、
前記ＭＰＥＧ２−ＴＳ信号から、多重された映像、音声、サービス情報データを分離するＭＰＥＧ２−ＴＳデマルチプレクサと、
（１）前記直交復調およびＡＦＣ回路により出力される直交信号の信号レベルを、移動速度もしくは速度変化量に応じて決定される感度閾値と比較し、その結果、前記感度閾値を越えない場合、（２）前記ＦＦＴ回路の出力により、前記周波数信号のＴＭＣＣによりフレーム同期を所定時間内に検出できない場合、（３）前記直交復調およびＡＦＣ回路によって周波数同調された直交信号から検出され出力される伝送モード検出完了信号、もしくは所定の範囲内に周波数が同調した時に出力される周波数同調完了信号を所定時間内に検出できない場合、（４）前記ＭＰＥＧ２−ＴＳデマルチプレクサによって取込まれるサービス情報データを所定時間内に検出できない場合、のいずれか一つの条件が成立した場合に次のチャンネルサーチを行う制御回路と、
を備えたことを特徴とするデジタル放送受信装置。
【請求項５】
移動しながらデシタル放送を受信し、設定周波数を逐次変更しながらチャンネルサーチを実行する、チューナと、アナログ・デシタル変換器と、直交復調およびＡＦＣ回路と、ＦＦＴ回路と、誤り訂正・ＴＳ再生回路と、ＭＰＥＧ２−ＴＳデマルチプレクサと、制御回路とを備えたデジタル放送受信装置におけるチャンネルサーチ制御方法であって、
前記制御回路は、
前記直交復調およびＡＦＣ回路により出力される周波数同期信号の信号レベルと、移動速度もしくは速度変化量に応じて決定される感度閾値とを比較し、前記信号レベルが前記感度閾値を越えたか否かを判定する第１のステップと、
前記ＦＦＴ回路の出力により、前記周波数信号のＴＭＣＣによりフレーム同期を所定時間内に検出したか否かを判定する第２のステップと、
前記ＭＰＥＧ２−ＴＳデマルチプレクサによって取込まれるサービス情報データを所定時間内に検出したか否かを判定する第３のステップと、
前記第１から第３のステップのうち、いずれか一つが成立しないことを条件に次のチャンネルサーチを実行するステップと、
を有することを特徴とするデジタル放送受信装置におけるチャンネルサーチ制御方法。
【請求項６】
前記直交復調およびＡＦＣ回路によって周波数同調された直交信号から検出され出力される伝送モード検出完了信号、もしくは所定の範囲内に周波数が同調したときに出力される周波数同調完了信号を所定時間内に検出したか否かを判定する第４のステップと、
を更に有することを特徴とする請求項５に記載のデジタル放送受信装置におけるチャンネルサーチ制御方法。
【発明の詳細な説明】
【技術分野】
【０００１】
この発明は、移動しながらデシタル放送を受信し、設定周波数を逐次変更しながらチャンネルサーチを実行する、デジタル放送受信装置および同装置におけるチャンネルサーチ制御方法に関する。
【背景技術】
【０００２】
デジタル放送のチャンネルサーチを実行する場合、放送波に含まれるＴＭＣＣ（Transmission and Multiplexing Configuration Control）信号によるフレーム同期を用いることが知られている。ＴＭＣＣフレーム同期信号によりフレーム同期が確立するまでに１秒程度の比較的長い時間を要し、このとき、待ち時間は、最大値の待ち時間を要するため、全てのチャンネルサーチが完了するまでに長い時間を要してしまうというといった問題があった。
【０００３】
これを解決するために、例えば、放送波信号の受信レベルとノイズレベルとを用いて、受信レベルが所定レベル以上でなければ放送波は無いと判定し、また、受信レベルが所定レベル以上であっても、ノイズレベルが一定以下に下がらない場合、放送波は無いと判定する放送受信装置が知られている（例えば、特許文献１参照）。
また、ＯＦＤＭ（Orthogonal Frequency Division Multiplexing）受信信号の伝送モード検出が一定時間以内に検出できない場合には受信不可能である旨の信号を出力するようにし、チャンネルサーチ時に受信装置でこれを使用することにより高速にチャンネルスキップ出来る放送受信装置も知られている（例えば、特許文献２参照）。
【０００４】
一方、ＡＧＣレベル信号、モード判定結果信号、周波数同期判定信号、ＴＭＣＣフレーム同期検出信号のそれぞれ出力し、これらが全て一定期間内に完了しない場合は、放送波が無いと判定することで、全ての放送局でＴＭＣＣフレーム同期検出完了を持つ必要が無く、高速にチャンネルサーチが実行出来る放送受信装置も知られている（例えば、特許文献３参照）。
また、デジタル放送に含まれるガードインターバル期間の性質を利用して自己相関信号を生成し、自己相関信号のピーク位置分布が一定の範囲に収まっているか否かによって放送波の有無を判定するようにし、ＴＭＣＣフレーム同期判定を持つこと無く判定を完了するように構成し、高速にチャンネルサーチが実行できるデジタル放送受信装置も知られている（例えば、特許文献４参照）。
また、パーキングブレーキ信号によって、車輌が停車中か移動中かを判断し、サーチストップ感度を変更することで回避可能であるとすることも知られている（例えば、特許文献５参照）。
【０００５】
【特許文献１】特開平１１−６８５１９号公報
【特許文献２】特開２００１−３１３６２２号公報
【特許文献３】特開２００４−２６６６５８号公報
【特許文献４】特開２００５−３２８１３６号公報
【特許文献５】特開平７−３２２１６０号公報
【発明の開示】
【発明が解決しようとする課題】
【０００６】
しかしながら、上記した特許文献１〜４に開示されたいずれの技術によっても、チャンネルサーチの高速化ははかれるものの、移動中における障害を回避することが出来ない。ここで、移動中の障害とは、移動中の受信性能が、停止中の受信性能に比べて大きく劣化するが、ＴＭＣＣ信号検出性能は、受信性能に比べて遥かに良いため、仮に、放送局が検索されても、実際には視聴出来ない状態のことをいう。
この様な場合、視聴できない放送局がチャンネルリスト中に含まれるために、アップ／ダウン選局等で選局した場合、視聴できない放送局が現れることで、選局操作の煩わしさが発生する。
【０００７】
また、車輛停止時、チャンネルサーチを実行する場合は、ユーザが頻繁に周辺地域を移動するため、あらかじめチャンネルをプリセットする目的で実行することが多い。この様な場合は、当該地域内で受信可能な全ての放送局が検索出来ることが望ましい。仮に、サーチ実行地点では視聴できない放送局であっても、当該地点とは別の地点で受信可能であるならば、極力検索できるようにした方がユーザにとって高い利便性が得られる。
更に、上記障害は、例えば、特許文献５に開示されるように、パーキングブレーキ信号によって、車輌が停車中か移動中かを判定し、サーチストップ感度を変更することで回避可能であるが、この構成によれば、デジタル放送とアナログ放送が混在する場合、誤ってアナログ放送を放送局有りと認識してしまうことや、車速が速くなった場合の受信性能劣化量増大に対応出来ないという課題があった。
【０００８】
この発明は上記した課題を解消するためになされたものであり、ユーザを選局操作の煩わしさから解放し、高い利便性を得ながらも、チャンネルサーチを正確、高速に実現することのできる、デジタル放送受信装置および同装置におけるチャンネルサーチ制御方法を提供することを目的とする。
【課題を解決するための手段】
【０００９】
この発明に係るデジタル放送受信装置は、移動しながらデシタル放送を受信し、設定周波数を逐次変更しながらチャンネルサーチを実行するデジタル放送受信装置であって、アンテナを介して入力される放送波を中間周波数信号に変換するチューナと、前記中間周波数信号をデジタルデータに変換するアナログ・デジタル変換器と、前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、を備え、前記制御回路は、前記直交復調およびＡＦＣ回路に接続され、前記直交信号の有効シンボル期間を高速フーリエ演算により時間軸方向の信号から周波数軸方向の周波数信号に変換するＦＦＴ回路の出力により、前記周波数信号のＴＭＣＣにより所定時間内にフレーム同期を検出できないときに、次のチャンネルサーチを実行することを特徴とする。
【００１０】
また、この発明に係るデジタル放送受信装置は、移動しながらデシタル放送を受信し、設定周波数を逐次変更しながらチャンネルサーチを実行するデジタル放送受信装置であって、アンテナを介して入力される放送波を中間周波数信号に変換するチューナと、前記中間周波数信号をデジタルデータに変換するアナログ・デジタル変換器と、前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、を備え、前記制御回路は、前記ＦＦＴ回路に接続され、誤り訂正およびＴＳ再生回路により生成されるＭＰＥＧ２−ＴＳ信号から、ＭＰＥＧ２−ＴＳデマルチプレクサによって、多重された映像、音声、サービス情報データに分離される中から、前記サービス情報データを取込み、前記サービス情報データが所定時間内に検出されたときに該チャンネルを記録し、次のチャンネルサーチを実行することを特徴とする。
【００１１】
また、この発明に係るデジタル放送受信装置は、移動しながらデシタル放送を受信し、設定周波数を逐次変更しながらチャンネルサーチを実行するデジタル放送受信装置であって、アンテナを介して入力される放送波を中間周波数信号に変換するチューナと、前記中間周波数信号をデジタルデータに変換するアナログ・デジタル変換器と、前記アナログ・デジタル変換器により出力されるデジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、前記直交復調およびＡＦＣ回路により出力される直交信号の入力信号レベルと、移動速度もしくは速度変化量に応じて決まる感度閾値とを比較し、前記入力信号レベルが前記感度閾値を超えないことを検出して次のチャンネルサーチを実行する制御回路と、を備え、前記制御回路は、前記直交復調およびＡＦＣ回路によって周波数同調された直交信号から検出され出力される伝送モード検出完了信号、もしくは所定の範囲内に周波数が同調したときに出力される周波数同調完了信号の各々が所定時間内に検出されないときに、次のチャンネルサーチを実行することを特徴とする。
【００１２】
また、この発明に係るデジタル放送受信装置は、移動しながらデシタル放送を受信し、設定周波数を逐次変更しながらチャンネルサーチを実行するデジタル放送受信装置であって、アンテナを介して入力される放送波を中間周波数信号に変換するチューナと、前記中間周波数信号をデジタルデータに変換するアナログ・デジタル変換器と、前記デジタルデータを直交復調し、周波数同調された直交信号を生成する回路と、直交信号の周波数オフセットを検出し、直交復調回路に周波数同調を行うための補正信号を出力する回路を含む、直交復調およびＡＦＣ回路と、前記直交信号の有効シンボル期間を高速フーリエ演算により時間軸方向の信号から周波数軸方向の周波数信号に変換するＦＦＴ回路と、前記周波数信号からＭＰＥＧ２−ＴＳ信号を生成する誤り訂正およびＴＳ再生回路と、前記ＭＰＥＧ２−ＴＳ信号から、多重された映像、音声、サービス情報データを分離するＭＰＥＧ２−ＴＳデマルチプレクサと、（１）前記直交復調およびＡＦＣ回路により出力される直交信号の信号レベルを、移動速度もしくは速度変化量に応じて決定される感度閾値と比較して前記感度閾値を超えない場合、（２）前記ＦＦＴ回路の出力により、前記周波数信号のＴＭＣＣによりフレーム同期を所定時間内に検出できない場合、（３）前記直交復調およびＡＦＣ回路によって周波数同調された直交信号から検出され出力される伝送モード検出完了信号、もしくは所定の範囲内に周波数が同調した時に出力される周波数同調完了信号を所定時間内に検出できない場合、（４）前記ＭＰＥＧ２−ＴＳデマルチプレクサによって取込まれるサービス情報データを所定時間内に検出できない場合、のいずれか一つの条件が成立した場合に次のチャンネルサーチを行う制御回路と、を備えたことを特徴とする。
【００１３】
また、この発明に係るデジタル放送受信装置は、移動しながらデシタル放送を受信し、設定周波数を逐次変更しながらチャンネルサーチを実行する、チューナと、アナログ・デシタル変換器と、直交復調およびＡＦＣ回路と、ＦＦＴ回路と、誤り訂正・ＴＳ再生回路と、ＭＰＥＧ２−ＴＳデマルチプレクサと、制御回路とを備えたデジタル放送受信装置におけるチャンネルサーチ制御方法であって、前記制御回路は、前記直交復調およびＡＦＣ回路により出力される直交信号の信号レベルを、移動速度もしくは速度変化量に応じて決定される感度閾値と比較して所定時間内に前記感度閾値を越えたか否かを判定する第１のステップと、前記ＦＦＴ回路の出力により、前記周波数信号のＴＭＣＣによりフレーム同期を所定時間内に検出したか否かを判定する第２のステップと、前記ＭＰＥＧ２−ＴＳデマルチプレクサによって取込まれるサービス情報データを所定時間内に検出したか否かを判定する第３のステップと、前記第１から第３のステップのうち、いずれか一つが成立しないことを条件に次のチャンネルサーチを実行するステップと、を有することを特徴とする。
【発明の効果】
【００１４】
この発明によれば、制御回路が、直交復調およびＡＦＣ回路により出力される直交信号の入力信号レベルと、移動速度もしくは速度変化量に応じて決まる感度閾値とを比較し、入力信号レベルが感度閾値を所定時間内に越えたことを検出して次のチャンネルサーチを実行することにより、ユーザを選局操作の煩わしさから解放し、高い利便性を得ながら、チャンネルサーチを正確、高速に実現することのできる、デジタル放送受信装置および同装置におけるチャンネルサーチ制御方法を提供することができる。
【発明を実施するための形態】
【００１５】
実施の形態１．
図１は、この発明の実施の形態１に係るデジタル放送受信装置の内部構成を示すブロック図である。
この発明の実施形態１に係るデジタル放送受信装置は、アンテナ１と、チューナ２と、アナログ・デジタル変換器（ＡＤコンバータ）３と、直交復調およびＡＦＣ回路（復調＆ＡＦＣ回路）４と、ＦＦＴ回路５と、誤り訂正およびＴＳ再生回路（誤り訂正＆ＴＳ再生回路）６と、ＭＰＥＧ２（Moving Picture Experts Group）−ＴＳ（Transport Stream）デマルチプレクサ７と、Ｎ値制御回路８と、クロック制御回路９と、制御回路１０とで構成される。
【００１６】
上記構成において、アンテナ１から入力された放送波は、チューナ２でＩＦ（中間周波数）信号に変換され、クロック制御回路９により出力されるクロックに基づきＡＤコンバータ３でデジタルデータに変換される。
デジタルデータは、直交復調＆ＡＦＣ回路４で、周波数同調されたＩ成分、Ｑ成分に分割され、ＦＦＴ回路５に出力される。そして、ＦＦＴ回路５で周波数信号に変換され、誤り訂正＆ＴＳ再生回路６に入力される周波数信号は、ＭＰＥＧ２−ＴＳ信号に変換され、ＭＰＥＧ２−ＴＳデマルチプレクサ７へ出力される。ＭＰＥＧ２−ＴＳデマルチプレクサ７は、周波数信号に多重された映像データ、音声データ、データ放送データ、サービス情報データを分離し、映像データ、音声データ、データ放送データのそれぞれを再生系へ、また、サービス情報データを制御回路５へ出力する。
【００１７】
なお、直交復調＆ＡＦＣ回路４のうち、ＡＦＣは、チューナ２で生じた周波数オフセットを補正するもので、チューナ２から出力されるＩＦ信号の中心を検出して内部のＰＬＬ（Phase Locked Loop）を合わせこむ回路である。このＡＦＣによって周波数同期検出信号を生成する。周波数同期検出信号は、ＩＦ信号の中心を検出したことを判別する信号であり、例えば、周波数同期検出が完了したときに“Ｈｉｇｈ”、完了していない場合は“Ｌｏｗ”を制御回路５に出力する。
また、ＦＦＴ回路５は、直交復調＆ＡＦＣ回路４により出力される周波数同調された信号のうち、有効シンボル期間の信号を高速フーリエ演算により時間軸方向の信号から周波数軸方向の周波数信号（ＯＦＤＭ信号）に変換して、誤り訂正＆ＴＳ再生回路６に出力する。また、ＯＦＤＭ信号のＴＭＣＣに含まれる同期ワードなどによりＴＭＣＣフレームを検出してＴＭＣＣフレーム同期信号を制御回路１０へ出力する。
【００１８】
制御回路１０は、ここではマイコンにより構成され、上記した直交復調＆ＡＦＣ回路４、ＦＦＴ回路５、ＭＰＥＧ２−ＴＳデマルチプレクサ７により出力される、それぞれ周波数同期検出信号、フレーム同期信号、サービス情報データのそれぞれを取込み、それぞれの信号のうち、一つでも所定時間内に検出されなかった場合に放送無しを判定し、Ｎ値制御回路８に、次のチャンネルサーチにおける周波数を設定する機能を持つ。
なお、制御回路１０は、直交復調およびＡＦＣ回路４により出力される直交信号の信号レベルと、車速センサ１１やブレーキセンサ１２によって検出され取込まれる信号を基に演算される、移動速度もしくは速度変化量に応じて決定される感度閾値とを比較して感度閾値を越えたか否かを判定する機能も合わせ持つ。
【００１９】
図２は、図１に示す制御回路１０の内部構成を機能展開して示したブロック図である。制御回路１０の内部構成を機能的に大別すれば、直交信号検出部１０１と、速度・速度変化量算出部１０２と、閾値設定部１０３と、タイムアウト検出部１０４と、放送有無検出部１０５と、放送局情報記憶部１０６と、周波数設定部１０７と、ＴＭＣＣフレーム同期信号検出部１０８と、サービス情報データ検出部１０９とから成る。
【００２０】
直交信号検出部１０１は、直交復調＆ＡＦＣ回路４により出力される直交信号の入力信号レベルを検出して放送有無判定部１０５へ出力する。また、速度・速度変化量算出部１０２は、外部接続される車速センサ１１、ブレーキセンサ１２を介して取得される車輛走行（停止）の有無、車速パルス、もしくは放送波に含まれるパイロット信号の周波数変化量からドップラー周波数を推定し、走行速度もしくは速度変化量を算出して閾値設定部１０３へ出力する。
閾値設定部１０３は、所定の演算式を実行することにより、あるいは、速度・速度変化量算出部１０２により出力される移動速度もしくは速度変化量によってテーブルメモリ（図示せず）に定義される感度閾値を読み出して放送有無判定部１０５へ出力する。
【００２１】
放送有無判定部１０５は、直交信号検出部１０１により検出され取込まれる入力信号レベルと、移動速度もしくは速度変化量に応じて決まる感度閾値とを比較し、入力信号レベルが感度閾値を超えない場合に、放送無しと判定し、周波数設定部１０７により設定される次のチャンネルサーチを実行する機能を持つ。
【００２２】
一方、ＴＭＣＣフレーム同期信号検出部１０８は、ＦＦＴ回路５の出力により、周波数信号のＴＭＣＣに含まれる同期ワードから所定時間内にフレーム同期を検出し、得られるＴＭＣＣフレーム同期信号を放送有無判定部１０５へ出力する。また、サービス情報データ検出部１０９は、ＭＰＥＧ２−ＴＳデマルチプレクサによって、多重された映像、音声、サービス情報データに分離された中から、サービス情報データを検知し取込んで放送有無判定部１０５へ出力する。
放送有無判定部１０５は、ＴＭＣＣフレーム同期信号、サービス情報データの両方が、タイムアイト検出部１０４により監視される所定時間内に検出されたときに、放送局情報記憶部１０６に対してその放送局名や周波数データを記録するほか、周波数設定部１０７により設定される次のチャンネルサーチを実行する機能もあわせ持つ。
【００２３】
図３は、この発明の実施の形態１に係るデジタル放送受信装置の動作を説明するために引用したフローチャートである。
以下、図３に示すフローチャートを参照しながら、図１、図２に示すこの発明の実施の形態１に係るデジタル放送受信装置の動作について詳細に説明する。
【００２４】
まず、ユーザにより、オートサーチが指示されると、制御回路１０は、Ｎ値制御回路８を制御してデジタル放送が実施される予定の一番周波数の低いチャンネルにＮ値が設定される（ステップＳＴ３０１）。このことにより、アンテナ１を介してチューナ２により受信された一番周波数の低いチャンネルの放送波は、ＩＦ信号に変換され、ＡＤコンバータ３によりデジタルデータに変換され、直交復調＆ＡＦＣ回路４に出力される。
直交復調＆ＡＦＣ回路４は、ＩＦ信号を周波数同調されたＩ成分、Ｑ成分に分割し、制御回路１０に対して直交信号を出力する。このとき、制御回路１０は、直交信号検出部１０１により直交信号の入力レベルを取得して放送有無判定部１０５へ出力する。
【００２５】
放送有無判定部１０５へは、ほかに、速度・速度変化量算出部１０２、閾値設定部１０３を介して、車速パルス、もしくは放送波に含まれるパイロット信号の周波数変化量からドップラー周波数が推定され、移動速度もしくは速度変化量を算出することにより決定される、感度閾値が入力されている（ステップＳＴ３０３）。
このため、車輌走行中（ステップＳＴ３０２“Ｎｏ”）、放送有無判定部１０５において、直交信号検出部１０１により出力される入力信号レベルと、閾値設定部１０３により出力される感度閾値との比較演算が実行される。
【００２６】
また、放送波有無判定部１０５は、ＴＭＣＣフレーム同期判定（ステップＳＴ３０５：ＴＭＣＣロック待ち）と、サービス情報データ検出部１０９からの検出信号を監視している。すなわち、放送波有無判定部１０５は、車輌走行中（ステップＳＴ３０２“Ｎｏ”）、入力信号レベルが感度閾値以上であった場合（ステップＳＴ３０４“Ｙｅｓ”）と、車輛停車中（ステップＳＴ３０２“Ｙｅｓ”）、ＴＭＣＣフレーム同期信号とサービス情報データが所定時間以内に検出された場合（ステップＳＴ３０５“Ｎｏ”、ステップＳＴ３０６“Ｎｏ”）、「放送波あり」と判定して放送局情報記憶部１０６のオートサーチ結果を記憶する領域を当該チャンネルの放送局情報に更新する。
なお、所定時間内にＴＭＣＣフレーム同期信号、もしくはサービス情報データを所定時間内に検出できなかった場合（ステップＳＴ３０５“Ｔｉｍｅ Ｏｕｔ”、ステップＳＴ３０６“Ｔｉｍｅ Ｏｕｔ”）、および車輛走行中で（ステップＳＴ３０２“Ｎｏ”）、入力信号レベルが感度閾値以下であった場合（ステップＳＴ３０４“Ｎｏ”）、「放送波無し」と判定し、次のチャンネルに移行するよう、Ｎ値制御回路８に指示を与える（ステップＳＴ３０８）。以上の処理を、デジタル放送が実施される予定の一番周波数の高いチャンネルまで繰返し実行し（ステップＳＴ３０９）、放送局情報記憶部１０６にオートサーチ結果を保持する。
【００２７】
なお、ここでは、車輌の走行速度を検出するために、車速センサ１１により出力される車速パルス、ブレーキセンサ１２により出力されるパーキングブレーキ信号、ドップラー周波数による車速推定演算結果、の全てを取得しているが、これらのうちいずれか一つ、あるいは組合せを使用して良く、選択はユーザによるものとする。
また、車輌停止中か走行中の判定に車速情報を用いた場合、入力信号レベルの判定を段階的に実行しても良く、この場合、車速に応じて段階的にレベル判定を行い、当該車速における所定値（感度閾値）を超えた場合で、ＴＭＣＣフレーム同期信号、サービス情報テーブル取得が所定時間以内に完了した場合に、「放送波有り」と判定することで、高速走行時の受信性能劣化にも対応出来る。
【００２８】
以上説明のように、この発明の実施の形態１に係るデジタル放送受信装置によれば、車輌停止中は可能な限り全ての放送局を検出出来るように感度閾値を下げ、車輌移動中は受信性能劣化によって視聴出来ない放送局を検索することを無くするために、感度閾値を上げている。このことにより移動中の障害を回避でき、また、車輌停止中におけるプリセット目的のサーチに利便性を提供することができる。
また、各種同期信号を用い、夫々に時間規定を設けることで「放送無し」とする判定を高速に行うようにし、かつ、「放送あり」とする判定を、放送波のＴＭＣＣフレーム同期信号のほかに、サービス情報データを取得することで正確に行うことができる。ＴＭＣＣフレーム同期信号やサービス情報データの取得には時間を要するが、「放送無し」とする判定を高速に行う構成としたため、高速サーチ処理を実現できる。
【００２９】
実施の形態２．
図４は、この発明の実施の形態２に係る制御回路１０の内部構成を機能展開して示したブロック図である。
図２に示す実施の形態１との差異は、実施の形態１が持つ構成に、モード検出部１１０と、周波数同調検出部１１１が付加されたことにある。なお、デジタル放送受信装置全体として構成は、図１に示すそれと同じとする。
【００３０】
モード検出部１１０は、ＯＦＤＭ信号のガードインターバルの信号を利用して１シンボル遅延した信号との相関を検出し、さらにガード期間内の移動平均により、相関振幅波形を算出する等の方法を用いて、ＯＦＤＭ信号の伝送モードと、ガードインターバルがどの値で伝送されているかを判別し、これらモード判定結果を放送有無判定部１０５へ出力する機能を持つ。
また、周波数同調検出部１１１は、直交復調＆ＡＦＣ回路４で実行される周波数同調が完了したときに出力される周波数同調完了信号を取得して放送有無判定部１０５へ出力する機能を持つ。
【００３１】
図５は、この発明の実施の形態２に係るデジタル放送受信装置の動作を説明するために引用したフローチャートである。
以下、図５に示すフローチャートを参照しながら、図４に示す制御回路１０の動作について詳細に説明する。
【００３２】
ここでは、実施の形態１と異なる部分の動作のみを説明する。すなわち、モード検出部１１０は、直交復調＆ＡＦＣ回路４により周波数同調されたＩ成分、Ｑ成分に分離された直交信号を使用して伝送モードの検出を行う。なお、伝送モードの検出結果は、ＦＦＴ回路５などへも反映させるがここでは記述していない。
モード検出部１１０において伝送モードの検出が完了した場合、伝送モード検出完了情報を放送有無判定部１０５へ出力する。また、直交復調＆ＡＦＣ回路４では、周波数同調を実行し、所定の範囲内に周波数が同調したら、周波数同調完了信号を周波数同期検出部１１１経由で放送有無判定部１０５へ出力する。
【００３３】
放送有無判定部１０５は、入力レベル信号が感度閾値より低く（ステップＳＴ５０４“Ｎｏ”）、モード検出完了信号、周波数同調完了信号、ＴＭＣＣロック完了信号、サービス情報テーブル取得信号のうちの一つでも所定の時間内に検出できなかった場合（ステップＳＴ５０５〜ステップＳＴ５０８“Ｔｉｍｅ Ｏｕｔ”）、「放送無し」と判定し、次のチャンネルのサーチへ移行する（ステップＳＴ５１０）。
なお、放送有無判定部１０５は、車輌移動中（ステップＳＴ５０２“Ｎｏ”）、入力信号レベルが感度閾値以上であった場合（ステップＳＴ５０４“Ｙｅｓ”）と、車輛停車中の場合（ステップＳＴ３０２“Ｙｅｓ”）、モード検出完了信号と、周波数同調完了信号と、ＴＭＣＣフレーム同期信号と、サービス情報データが、それぞれ、モード検出部１１０、周波数同調検出部１１１、ＴＭＣＣフレーム同期検出部１０８、サービス情報データ検出部１０９を介して所定時間以内に検出された場合（ステップＳＴ５０５“Ｎｏ”〜ステップＳＴ５０８“Ｎｏ”）、「放送あり」と判定して、放送局情報記憶部１０６のオートサーチ結果を記憶する領域を当該チャンネルの放送局情報に更新する。
【００３４】
以上説明のように、この発明の実施の形態２に係るデジタル放送受信装置によれば、各種同期信号によって「放送無し」とする判定を高速に行うようにし、かつ、「放送あり」とする判定を、放送波のＴＭＣＣフレーム同期信号のほかに、伝送モードやサービス情報データを取得することでより正確に行うことができる。
なお、ＴＭＣＣフレーム同期信号や伝送モード、サービス情報データの取得には時間を要するが、いずれか一つでも所定時間内に検出が完了しなかった場合に「放送無し」と判定して次のチャンネルのサーチを実行する構成としたため、高速サーチ処理を実現できる。
【００３５】
以上説明のようにこの発明は、制御回路１０が、直交復調およびＡＦＣ回路４により出力される直交信号の入力信号レベルと、移動速度もしくは速度変化量に応じて決まる感度閾値とを比較し、入力信号レベルが感度閾値を所定時間内に超えないことを検出して次のチャンネルサーチを実行することにより、また、ＴＭＣＣフレーム同期信号、サービス情報データ、あるいは伝送モードを監視し、所定時間内にこれら情報のいずれかが検出されなかった場合に次のチャンネルサーチを実行することで、ユーザを選局操作の煩わしさから解放し、高い利便性を得ながら、チャンネルサーチを正確、高速に実現することのできる、デジタル放送受信装置および同装置におけるチャンネルサーチ制御方法を提供することができる。
【００３６】
なお、図２、図４に示す直交信号検出部１０１、速度・速度変更量算出部１０２、閾値設定部１０３、タイムアウト検出部１０４、放送有無検出部１０５、放送局情報記憶部１０６、周波数設定部１０７、ＴＭＣＣフレーム同期信号検出部１０８、サービス情報データ取得部１０９、モード検出部１１０、周波数同調検出部１１１のそれぞれが持つ機能は、制御回路１０を構成するマイコンが、内蔵メモリに記録されたプログラムを逐次読み出し、実行することにより、実現されるものとする。
【図面の簡単な説明】
【００３７】
【図１】この発明の実施の形態１に係るデジタル放送受信装置の内部構成を示すブロック図である。
【図２】図１に示す制御回路の内部構成を機能展開して示したブロック図である。
【図３】この発明の実施の形態１に係るデジタル放送受信装置の動作を説明するために引用したフローチャートである。
【図４】この発明の実施の形態２に係るデジタル放送受信装置の制御回路の内部構成を機能展開して示したブロック図である。
【図５】この発明の実施の形態２に係るデジタル放送受信装置の動作を説明するために引用したフローチャートである。
【符号の説明】
【００３８】
１  アンテナ、２  チューナ、３  アナログ・デジタル変換器（ＡＤコンバータ）、４  直交復調＆ＡＦＣ回路、５  ＦＦＴ回路、６  誤り訂正＆ＴＳ再生回路、７  ＭＰＥＧ２−ＴＳデマルチプレクサ、８  Ｎ値制御回路、９  クロック制御回路、１０  制御回路、１０１  直交信号検出部、１０２  速度・速度変化量算出部、１０３  閾値設定部、１０４  タイムアウト検出部、１０５  放送有無検出部、１０６  放送局情報記憶部、１０７  周波数設定部、１０８  ＴＭＣＣフレーム同期信号検出部、１０９  サービス情報データ検出部、１１０  モード検出部、１１１  周波数同期検出部。
【図１】
0004684936.tif 000002
【図２】
0004684936.tif 000003
【図３】
0004684936.tif 000004
【図４】
0004684936.tif 000005
【図５】
0004684936.tif 000006